(57)【特許請求の範囲】
【請求項１】
多数の凸部とこれら凸部間に設けられた複数の溝が表面に形成された床面部と、この床面部に連設される垂下面部を含む排水口とを備えた浴室床において、
前記凸部及び溝は、床面部から垂下面部に達し、溝の下流端が垂下面部に位置するように形成されていることを特徴とする浴室床。
【請求項２】
前記垂下面部は、断面視略円弧状をなす曲面部を介して床面部の表面に連設され、当該垂下面部及び曲面部には、前記凸部及び溝が連続的に形成されていることを特徴とする請求項１記載の浴室床。
【請求項３】
前記溝は、垂下面部の平面内において所定間隔を隔てた略全領域に形成されていることを特徴とする請求項１又は２記載の浴室床。
【請求項４】
前記床面部における排水口の周辺領域に、当該領域上の湯水を排水口に向かわせる力を付与可能な排水促進部を設け、当該排水促進部は、床面部の水勾配より大きい勾配を有する傾斜面部を含み、この傾斜面部は、前記水勾配より１／１００〜５０／１００増大した勾配を有することを特徴とする請求項１，２又は３記載の浴室床。
【請求項５】
前記床面部における排水口の周辺領域に、当該領域上の湯水を排水口に向かわせる力を付与可能な排水促進部を設け、当該排水促進部は、床面に凹凸を形成した領域を含み、当該凹凸は、中心線平均粗さＲａが１０μｍ〜２００μｍに設定されていることを特徴とする請求項１，２又は３記載の浴室床。
【発明の詳細な説明】
【０００１】
【発明の属する技術分野】
本発明は、浴室床に係り、更に詳しくは、床面における排水口の周辺領域の水滴や水膜の残存を防止することのできる浴室床に関する。
【０００２】
【従来の技術】
公知の浴室にあっては、床面上の湯水を所定の排水口に流し込み可能な複数の溝を有する浴室床が広く利用されている。このような浴室床における排水口回りの構造としては、例えば、図４及び図５に示されるタイプのものが存在する。同図において、浴室床５０は、格子状に延びる溝５１及びこれら溝５１間に位置する凸部５２を有する床面部５３と、この床面部５３の図４中下端部に設けられた平面視半円弧状をなす排水口５５とを備えている。床面部５３と排水口５５との境界位置には、溝５１の底部と同一高さとなる縁取り部５６（図４中網点領域）が形成されている。
【０００３】
【発明が解決しようとする課題】
しかしながら、このような構成にあっては、排水口５５に向かう溝５１の下流側端部と排水口５５との間に縁取り部５６が形成されているため、溝５１の下流側端部から流れ出た湯水が縁取り部５６上で拡散されて減速することとなる。このとき、湯水の表面張力が作用して、湯水が縁取り部５６上で大きな水滴又は水膜となって残存し易くなるという不都合を生じる。この結果、入浴した日の翌朝に浴室内に入ると、残存した水滴等により足が濡れてしまったり、水滴等が乾いた場合にその中に含まれる汚れ成分によって縁取り部５６が汚れてしまったりするという不都合を招来する。
【０００４】
【発明の目的】
本発明は、このような不都合に着目して案出されたものであり、その目的は、排水口の周辺領域における排水性を向上して、汚れの原因となるような湯水の残存を防止することができる浴室床を提供することにある。
【０００５】
【課題を解決するための手段】
前記目的を達成するため、本発明は、多数の凸部とこれら凸部間に設けられた複数の溝が表面に形成された床面部と、この床面部に連設される垂下面部を含む排水口とを備えた浴室床において、
前記凸部及び溝は、床面部から垂下面部に達し、溝の下流端が垂下面部に位置するように形成される、という構成を採っている。このような構成によれば、溝内を流れる湯水を減速させることなく直接排水口に流し込むように作用させることができ、排水口の周辺領域における排水性を向上させることが可能となる。これにより、排水口の周辺領域において大きな水滴等が残存し難くなり、入浴した日の翌朝であっても足裏の濡れを防止できるばかりでなく、湯水に含まれる汚れ成分によって排水口の周辺領域が汚れるようなことをも防止することが可能となる。
【０００７】
【発明の実施の形態】
本発明において、垂下面部は、断面視略円弧状をなす曲面部を介して床面部の表面に連設され、当該垂下面部及び曲面部には、前記凸部及び溝が連続的に形成される、という構成を採ることが好ましい。
また、前記溝は、垂下面部の平面内において所定間隔を隔てた略全領域に形成されるという構成も好ましくは採用される。
【０００８】
また、前記床面部における排水口の周辺領域に、当該領域上の湯水を排水口に向かわせる力を付与可能な排水促進部を設け、当該排水促進部は、床面部の水勾配より大きい勾配を有する傾斜面部を含み、この傾斜面部は、前記水勾配より１／１００〜５０／１００増大した勾配を有する、という構成も採用することができる。このような構成を採れば、排水口の周辺領域において溝内を流れる湯水を加速させて排水口にスムースに流し込むことができ、排水口回りの排水性を一層向上させることが可能となる。
ここで、傾斜面部の勾配を１／１００より小さくすると、十分な排水性を得ることができなくなる一方、傾斜面部の勾配を５０／１００より大きくすると、溝内を流れる湯水の流速が速くなり過ぎてしまい、溝が毛細管現象によって湯水を誘引する形状を有する場合、前記誘引する力を十分に発揮させることができなくなる。
【０００９】
更に、前記床面部における排水口の周辺領域に、当該領域上の湯水を排水口に向かわせる力を付与可能な排水促進部を設け、当該排水促進部は、床面に凹凸を形成した領域を含み、当該凹凸は、中心線平均粗さＲａが１０μｍ〜２００μｍに設定される、という構成を採るとよい。このような構成では、排水口の周辺領域に親水性を付与することができ、これによって、水滴の表面積が拡大して溝内に流れ込み易くなるので、排水性をより一層向上させることが可能となる。
前記中心線平均粗さＲａが１０μｍより小さいと、艶面と同等となり、期待される排水性を得ることができない一方、中心線平均粗さＲａが２００μｍより大きいと、凹凸内に汚れ成分が付着して堆積し易く、排水促進部が撥水性を有する傾向が強くなる。
【００１０】
なお、本明細書において、「垂下面部」とは、鉛直方向に沿って延びる面だけでなく、鉛直面に対して傾斜する方向に延びる面も含む概念として用いる。
【００１１】
【実施例】
以下、本発明の実施例を図面を参照しながら説明する。
【００１２】
図１には、実施例に係る浴室床の概略平面図が示されている。この図において、浴室床１０は、特に限定されるものでないが、ＳＭＣ等のＦＲＰ（繊維強化プラスチック）によって形成される。浴室床１０は、図１中左側に形成された浴槽設置領域１１と、同図中右側に形成された洗い場領域１２とにより構成されている。
【００１３】
前記洗い場領域１２は、平面視略長方形状をなす床面部１４と、この床面部１４の一端側、すなわち、図１中下端側中央部に設けられるとともに、平面視略半円弧状に形成された排水口１５とを備えて構成されている。また、床面部１４における排水口１５の周辺領域には、当該領域上の湯水を排水口１５に向かわせる排水促進部１６が設けられている。
【００１４】
前記床面部１４は、図２にも示されるように、その表面（上面）に格子状に形成された複数の溝１８と、これら溝１８の間に設けられた平面視略正方形状をなす多数の凸部１９とを備え、これら凸部１９間に複数の溝１８が設けられるようになっている。床面部１４には、排水口１５に向かって次第に下降する水勾配が形成され、この水勾配は、約１／１０〜２／１０に設定されている。凸部１９の一辺の長さは、特に限定されるものでないが、８〜１１ｍｍに設定されている。一方、溝１８は、その幅が０．５〜３ｍｍ、深さが０．３〜１．５ｍｍとなる断面視略凹状に形成されており、毛細管現象によって隣接する凸部１９上の湯水を溝１８内に誘引する力を発揮するようになっている。
【００１５】
前記排水口１５は、図３に示されるように、鉛直方向に対する角度θが約３０°となるように傾斜した垂下面部２１を備えており、この垂下面部２１は、断面視略円弧状をなす曲面部２２を介して床面部１４の表面に連設されている。垂下面部２１及び曲面部２２には、床面部１４の溝１８及び凸部１９が連続的に形成され、排水口１５に向かって延びる溝１８の下流端が垂下面部２１に位置するよう、すなわち、溝１８及び凸部１９が床面部１４から垂下面部２１に達するように形成されている。また、溝１８は、垂下面部２１の平面内において所定間隔を隔てた略全領域に形成されている。
【００１６】
前記排水促進部１６は、床面部１４における排水口１５の上部外側を囲う領域に形成された傾斜面部２４と、この傾斜面部２４上に形成された凹凸（図示省略）とを備えて構成されている。傾斜面部２４は、前述した床面部１４の水勾配より１／１００〜５０／１００増大した勾配を備えており、傾斜面部２４の外側の溝１８から流れる湯水を傾斜面部２４上で更に加速させるようになっている。
【００１７】
前述した傾斜面部２４上の凹凸は、特に限定されるものでないが、浴室床１０の成形型にサンドブラスト加工等を施して成形することにより形成されている。前記凹凸は、中心線平均粗さＲａが１０μｍ〜２００μｍに設定されており、凹凸が形成された領域に親水性を発揮させるようになっている。なお、好ましくは、前記凹凸の中心線平均粗さＲａは３０μｍ〜８０μｍに設定するとよい。
【００１８】
以上の構成において、床面部１４に湯水がかかると、大部分の湯水が床面部１４の水勾配によって排水口１５に流れ込んだ後、少量の湯水が表面張力によって床面部１４上に残存しようとする。この際、各凸部１９上の湯水は、毛細管現象によって当該溝１８内に誘引されて排水口１５に向かって流れ、排水口１５の手前側で傾斜面部２４によって更に加速される。最終的に、溝１８内の湯水は、曲面部２２及び垂下面部２１上を通過して排水口１５に流れ込む。ここで、排水促進部１６の凹凸により、排水口１５周辺の凸部１９上の湯水が溝１８内に流れ易くなり、排水性を向上させることができるように構成されている。
【００１９】
従って、このような実施例によれば、溝１８を床面部１４から垂下面部２１に架けて連続的に形成したので、溝１８内の湯水が停滞することなく排水口１５に確実に流し込まれるようになり、排水口１５の周辺領域に大きな水滴等が残存することがなくなる。
【００２０】
本発明を実施するための最良の構成、方法などは、以上の記載で開示されているが、本発明は、これに限定されるものではない。
すなわち、本発明は、特定の実施例に関して特に図示し、且つ、説明されているが、本発明の技術的思想及び目的の範囲から逸脱することなく、以上に述べた実施例に対し、形状、数量、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２２】
また、前記凸部１９の形状は、大小複数種類のものによって構成する等、種々の設計変更が可能であり、これに応じて溝１８の形成数及び形成位置を変更してもよい。
【００２３】
更に、前記垂下面部２１の鉛直方向に対する角度θは、溝１８内を流れる湯水を排水口１５に流し込み可能とする限りにおいて変更することができる。
【００２４】
また、前記実施例において、排水促進部１６が傾斜面部２４及びこれに形成された凹凸を設けた構成としたが、傾斜面部２４及び前記凹凸の何れか一方のみを設けた構成としてもよい。但し、傾斜面部２４及び前記凹凸の両者を設けることによって、排水性をより高めることができる点で有利となる。
【００２５】
【発明の効果】
以上説明したように、本発明は、床面部から排水口の垂下面部に達する位置にも溝を形成したから、溝内の湯水の流速を減速させることなく排水口に直接流し込むことができ、排水口周辺領域の排水性を向上させることが可能となる。これにより、大きな水滴等が排水口周辺で生じ難くなり、入浴した翌朝に足を濡らしたり、湯水中の汚れ成分によって排水口周辺が汚れたりすることを回避できるという効果を得る。
【００２７】
更に、床面部における排水口の周辺領域上の湯水を排水口に向かわせる力を付与可能な排水促進部を設けた場合には、排水口回りの湯水を排水口に流れ込み易くすることができ、大きな水滴等の残存を一層効果的に抑制することが可能となる。
【００２８】
また、排水促進部は、床面部の水勾配より大きい勾配を有する傾斜面部を備えているから、当該傾斜面部によって溝内の湯水を更に加速させることができ、排水性をより向上させることが可能となる。
【００２９】
更に、排水促進部は、床面に凹凸を形成した領域を含んでいるから、排水口の周辺領域で親水性が発揮され、水滴の表面積が拡大して溝内に流れ込み易くなる。
【図面の簡単な説明】
【図１】本実施例に係る浴室床の平面図。
【図２】前記浴室床における排水口及びその周辺領域の拡大平面図。
【図３】図２のＡ−Ａ線に沿う拡大端面図。
【図４】従来例に係る排水口及びその周辺領域の平面図。
【図５】図４のＢ−Ｂ線に沿う拡大断面図。
【符号の説明】
１０・・・浴室床、１４・・・床面部、１５・・・排水口、１６・・・排水促進部、１８・・・溝、２１・・・垂下面部、２４・・・傾斜面部
【図１】
0003585911.tif 000002
【図２】
0003585911.tif 000003
【図３】
0003585911.tif 000004
【図４】
0003585911.tif 000005
【図５】
0003585911.tif 000006